(57)【要約】【課題】  複室容器を折り畳んだ状態に維持することができ、折畳を展開すると容器本体に形成された弱シール部を剥離することができる剥離器具を提供する。【解決手段】  容器本体５１内部を第１と第２の薬剤充填室５４，５５に区画する弱シール部５３を剥離する複室容器の弱シール部剥離器具１において、２つ折りにした前記複室容器５０の第１の薬剤充填室５４側の端部を挟持する挟持具１０と、前記複室容器５０の第２の薬剤充填室５５側の端部を保持し、該第２の薬剤充填室５５の厚みより小さい一定の間隔を形成した保持具２０と、前記挟持具１０と前記保持具２０のそれぞれの両端を連結する連結具３０とで構成された。【選択図】図５
2005187039.tif 000002
【特許請求の範囲】
【請求項１】
容器本体内部を第１と第２の薬剤充填室に区画する弱シール部を剥離する複室容器の弱シール部剥離器具において、
２つ折りにした前記複室容器の第１の薬剤充填室側の端部を挟持する挟持具と、
前記複室容器の第２の薬剤充填室側の端部を保持し、該第２の薬剤充填室の厚みより小さい一定の間隔を形成した保持具と、
前記挟持具と前記保持具のそれぞれの両端を連結する連結具とで構成されていることを特徴とする、複室容器の弱シール部剥離器具。
【請求項２】
前記挟持具と前記保持具は、２本の棒状部材でそれぞれ構成されていることを特徴とする、請求項１記載の複室容器の弱シール部剥離器具。
【請求項３】
前記保持具を構成する棒状部材は、ローラー部を備えていることを特徴とする、請求項２記載の複室容器の弱シール部剥離器具。
【請求項４】
前記連結具は、前記２本の棒状部材の両端を固定する一対のプレート材で構成されていることを特徴とする、請求項１記載の複室容器の弱シール部剥離器具。
【請求項５】
前記連結具は、前記２本の棒状部材の両端を固定する端部材と、該端部材を連結する可撓性部材とからなることを特徴とする、請求項１記載の複室容器の弱シール部剥離器具。
【発明の詳細な説明】
【技術分野】
【０００１】
本発明は、複室容器の弱シール部剥離器具に関する。
【背景技術】
【０００２】
現在、投薬直前に２種類以上の薬剤を混合すると、微生物汚染や異物の混入、過誤の混合、迅速な投薬ができない等の欠点があるため、圧力の付加によって剥離可能な弱シール等の仕切手段を容器本体に設け、この仕切手段で区画された複数の薬剤充填室に各未混合薬剤を個別に充填し、投与直前に前記仕切手段を解除して各薬剤を混合することが可能な複室型の容器が多数開発されている。
【０００３】
このような複室容器は、容器本体の内部を２等分するように仕切手段が短手方向に設けられているものが多く、通常、薬剤の混合作業を行うまで、前記仕切手段が設けられている容器本体の中央付近で２つ折りにした状態で保管されている。
【０００４】
前記複室容器を用いて薬剤の混合を行う場合、まず、２つ折りにされている容器本体を展開して、次に、薬剤充填室を手等で押圧して仕切手段の解除が行われる。したがって、前記複室容器を用いた薬剤の混合工程においては、容器本体を展開する作業と仕切手段を解除する作業という２つの作業をそれぞれ別個に行う必要があった（特許文献はなし）。
【０００５】
しかしながら、前記２つの作業は、薬剤の混合工程においては煩わしいものとなっているだけでなく、複室容器を展開した後、仕切手段を解除するための薬剤充填室の押圧を怠る可能性も高い。薬剤充填室の押圧を怠っても、容器本体の下端に設けられたフック穴にフックを通して吊り下げたり、又は口栓を下向きにして傾斜面に設置すれば、薬剤排出口のゴム栓に刺通した中空針を介して、未混合薬剤を患者に投与することが可能であるため、未混合薬剤の誤投与という医療事故を未然に防止することが困難であり、患者に対する安全性を確保することができないという問題点がある。
【発明の開示】
【発明が解決しようとする課題】
【０００６】
したがって、本発明は、かかる問題点を解消するため、複室容器を用いた薬剤の混合工程において、容器本体の展開と同時に仕切手段である弱シール部を解除することができる複室容器の弱シール部剥離器具を提供し、これにより、薬剤の混合工程において簡便な作業を実現することを目的とする。
【課題を解決するための手段】
【０００７】
前記課題を解決するための手段として、本発明は、容器本体内部を第１と第２の薬剤充填室に区画する弱シール部を剥離する複室容器の弱シール部剥離器具において、２つ折りにした前記複室容器の第１の薬剤充填室側の端部を挟持する挟持具と、前記複室容器の第２の薬剤充填室側の端部を保持し、該第２の薬剤充填室の厚みより小さい一定の間隔を形成した保持具と、前記挟持具と前記保持具のそれぞれの両端を連結する連結具とで構成されたものである。
【０００８】
前記手段によれば、複室容器を引張することによる展開という１つの作業を行うだけで、第１と第２の薬剤充填室に区画する弱シール部を剥離させることができ、これにより、薬剤充填室に充填された各未混合薬剤の混合作業を簡便に行うことができる。
【０００９】
前記挟持具と前記保持具は、２本の棒状部材でそれぞれ構成されていてもよい。
【００１０】
前記保持具を構成する棒状部材は、ローラー部を備えていてもよい。
【００１１】
前記連結具は、前記２本の棒状部材の両端を固定する一対のプレート材で構成されていてもよい。
【００１２】
前記連結具は、前記２本の棒状部材の両端を固定する端部材と、該端部材を連結する可撓性部材とからなっていてもよい。
【発明の効果】
【００１３】
本発明によれば、使用者が、薬剤充填室の押圧を行うことなく、複室容器の展開作業を行うだけで、薬剤の混合作業を行うことが可能となる。
【発明を実施するための最良の形態】
【００１４】
以下、添付の図面に従って、本発明の実施形態を説明する。
【００１５】
図１は、本発明の第１実施形態に係る複室容器の弱シール部剥離器具１を示す。弱シール部剥離器具１は、２本の棒状部材１１，１２で構成された挟持具１０と、２本の棒状部材２１，２２で構成された保持具２０と、矩形状の第１プレート材３１と第２プレート材３２が連結され、挟持具１０の２本の棒状部材１１，１２と保持具２０の２本の棒状部材２１，２２のそれぞれの両端を固定する一対の連結具３０とで構成されている。
【００１６】
第１プレート材３１は、一端側に形成された小判形状の第１ネジ穴３３と、中央からやや他端寄りに形成された小判形状の第２ネジ穴３４と、他端側に形成された小判形状の第３ネジ穴３５とを備える。第２プレート材３２は、第１プレート材３１と同様に、一端側に形成された小判形状の第１ネジ穴３３’と、中央からやや他端寄りに形成された小判形状の第２ネジ穴３４’と、他端側に形成された小判形状の第３ネジ穴３５’とを備える。第１プレート材３１と第２プレート材３２は、第１ネジ穴３３と第１ネジ穴３３’の一部を相互に一致させた状態で、略ヘの字状に重ね合わされている。第１プレート材３１と第２プレート材３２は、第１プレート材３１側から第１ネジ穴３３，３３’に挿入されたネジ４１を、ネジ４１のヘッド側及びその反対側にそれぞれワッシャー４２を介在させて、ナット４３の螺合部に螺合することで相互に連結されている。
【００１７】
挟持具１０の一方の棒状部材１１は、ネジと螺合する螺合部を備える六角柱状のネジ止め部１３がそれぞれ両端に設けられている。挟持具１０の一方の棒状部材１１は、一対の第１プレート材３１の第２ネジ穴３３に挿入されたネジ４４を、ネジ４４のヘッド側及びその反対側にそれぞれワッシャー４５を介在させて、両端のネジ止め部１３の螺合部にそれぞれ螺合することで第１プレート材３１に固定されている。挟持具１０の他方の棒状部材１２は、ネジと螺合する螺合部を備える六角柱状のネジ止め部１４がそれぞれ両端に設けられている。挟持具１０の他方の棒状部材１２は、第１プレート材３１の第３ネジ穴３５に挿入されたネジ４６を、ネジ４６のヘッド側及びその反対側にそれぞれワッシャー４７を介在させて、両端のネジ止め部１４の螺合部にそれぞれ螺合することで第１プレート材３１に固定されている。挟持具１０は、図４，５に示したように、２本の棒状部材１１，１２の間に２つ折りにした複室容器５０の第１の薬剤充填室５４側の端部が挿入され、２本の棒状部材１１，１２が第１の薬剤充填室５４の壁部とそれぞれ接触することで第１の薬剤充填室５４側の端部を挟持する。
【００１８】
保持具１０の一方の棒状部材２１は、ネジと螺合する螺合部を備える六角柱状のネジ止め部２３が両端に設けられている。保持具１０の一方の棒状部材２１は、第２プレート材３２の第２ネジ穴３４’に挿入されたネジ４４’を、ネジ４４’のヘッド側及びその反対側にそれぞれワッシャー４５’を介在させて、両端のネジ止め部２３の螺合部にそれぞれ螺合することで第２プレート材３２に固定されている。保持具１０の他方の棒状部材２２は、ネジと螺合する螺合部を備える六角柱状のネジ止め部２４が両端に設けられている。保持具１０の他方の棒状部材２２は、第２プレート材３２の第３ネジ穴３５’に挿入されたネジ４６’を、ネジ４６’のヘッド側及びその反対側にそれぞれワッシャー４７’を介在させて、両端のネジ止め部２４の螺合部にそれぞれ螺合することで第２プレート材３２に固定されている。保持具２０は、２本の棒状部材２１，２２の間に２つ折りにした複室容器５０の口栓６０側の端部が挿入され、２本の棒状部材２１，２２が第２の薬剤充填室５５の壁部とそれぞれ接触することで第２の薬剤充填室５５を保持する。
【００１９】
挟持具１０の２本の棒状部材１１，１２は、図３に示したように、第１の薬剤充填室５４の厚みＴ１より小さい一定の間隔ｔ１を形成している。また、保持具２０の２本の棒状部材２１，２２は、第１プレート材３１に固定された挟持具１０の２本の棒状部材１１，１２の間隔ｔ１より広い間隔ｔ２を空けて第２プレート材３２に固定され、第２の薬剤充填室５５の厚みＴ２より小さい一定の間隔ｔ２を形成している。
【００２０】
挟持具１０の２本の棒状部材１１，１２は、ネジ止め部１３，１４の間に、ローラー部１５，１６がそれぞれ設けられ、保持具２０の２本の棒状部材２１，２２は、ネジ止め部２３，２４の間に、ローラー部２５，２６が設けられている。なお、ローラー部は、引張によって複室容器５０の第２の薬剤充填室５５が外方向へ移動するのを補助するものであるので、複室容器５０を引張しても第１の薬剤充填室５４が外方向へ移動する必要のない挟持具１０の２本の棒状部材１１，１２には、ローラー部１５，１６を設けずに部品点数を省略してもよい。この場合、挟持具１０の２本の棒状部材１１，１２は、複室容器５０と一体的に固定されていてもよく、口栓６０の薬剤排出管６２又はその反対側の端部に形成された周辺強シール部５２に固定されるのが好ましい。また、保持具２０の２本の棒状部材２１，２２は、ネジ止め部２３，２４の間に、ローラー部２５，２６が設けられていなくても、第２の薬剤充填室５５側の端部を引張することによって２本の棒状部材２１，２２が第２の薬剤充填室５５の壁部を押圧しながら第２の薬剤充填室５５を外方向へ移動させることができれば、保持具２０の２本の棒状部材２１，２２には、必ずしもローラー部２５，２６を設ける必要はない。
【００２１】
複室容器５０は、図２に示したように、容器本体５１と、該容器本体５１の開口部に取り付けられた薬剤排出用の口栓６０とを備える。複室容器５０は、対向する２枚の透明なフィルムシートの内壁の間に薬剤排出管６２が挟持された状態で、周辺部が加熱溶着されて強シール部５２が形成されている。複室容器５０は、一方の壁部の内表面とこれに対向する他方の壁部の内表面とが、例えば、混合樹脂片で接合されたり、又は前記内表面の間に混合樹脂片を挟持した状態で加熱溶着されることによって、弱シール部５２が容器本体５１の中央付近の短手方向に形成されている。弱シール部５３は、容器本体５１内部を第１と第２の薬剤充填室５４，５５に区画し、第１と第２の薬剤充填室５４，５５の壁部を押圧すると剥離することが可能な強度で構成されているが、周辺強シール部５２は、第１と第２の薬剤充填室５４，５５の壁部を押圧しても剥離することができない強度で構成されている。口栓６０は、筒状で、薬剤排出口６１と、薬剤排出管６２とで構成され、薬剤排出口６１上部に弱シール部５４，５５の剥離の注意を促す注意書が記載された矩形状のフィルムシート６３が貼着されている。
【００２２】
次に、前記構成からなる複室容器の弱シール部剥離器具１を使用する場合の作用について説明する。
【００２３】
弱シール部剥離器具１は、第１の薬剤充填室５４側の端部が挟持具１０の２本の棒状部材１１，１２の間に挿入されて第１の薬剤充填室５４側の端部を挟持し、第２の薬剤充填室５５側の端部が保持具２０の２本の棒状部材２１，２２の間に挿入されて第２の薬剤充填室５５側の端部を保持している。従って、弱シール部５３を剥離するまで、複室容器５０を２つ折りにした状態に維持することができ、これにより、弱シール部５３が剥離していないことを外観状の形態から確認することが可能となる。
【００２４】
複室容器５０の弱シール部５３を剥離して使用する場合には、容器本体５１の両端の適当な部分を把持して、図５の矢印で示したように、両端をそれぞれ外方向へ引張する。これにより、図６に示したように、第１の薬剤充填室５４は、外方向へ移動することがなく、第２の薬剤充填室５５が、保持具２０の２本の棒状部材２１，２２のローラー部２５，２６を回転させながら、外方向へ移動する。また、保持具２０の２本の棒状部材２１，２２は、外方向へ移動する第２の薬剤充填室５５の壁部を押圧して、容器本体５１内部に圧力を生じさせる。これにより、弱シール部５３が剥離して未混合薬剤が混合する。
【００２５】
なお、図１に示した連結具３０は、２枚の矩形状のプレート材３１，３２が略ヘの字状に連結されて、第１プレート材３１の第２ネジ穴３４及び第３ネジ穴３５と第２プレート材３２の第２ネジ穴３４’及び第３ネジ穴３５’が略ハの字状に配置されているが、図７（ａ）に示したように、１枚のプレート材に４つのネジ穴が同様の間隔で配置されていてもよい。また、第１プレート材３１の第２ネジ穴３４及び第３ネジ穴３５と第２プレート材３２の第２ネジ穴３４’及び第３ネジ穴３５’は、必ずしも略ハの字状に配置されている必要はなく、図７（ｂ）に示したように、縦方向に平行に配置されたり、あるいは、図７（ｃ）に示したように、横一直線状に配置されたりしていてもよい。
【００２６】
図８は、本発明の第２実施形態に係る複室容器の弱シール部剥離器具１を示す。弱シール部剥離器具１は、２本の棒状部材１１，１２で構成された挟持具１０と、２本の棒状部材２１，２２で構成された保持具２０と、端部材３６，３６’と、該端部材３６，３６’を連結する可撓性部材３７とからなる一対の連結具３０とで構成されている。
【００２７】
連結具３０の端部材３６は、挟持具１０の２本の棒状部材１１，１２と一体的に形成されて、２本の棒状部材１１，１２のそれぞれの両端を固定している。連結具３０の端部材３６’は、保持具２０の２本の棒状部材２１，２２と一体的に形成されて、２本の棒状部材２１，２２のそれぞれの両端を固定している。連結具３０の端部材３６，３６’は、上部が円盤状に形成された２本の留具３８と、該留具３８を挿入する２つの留具固定穴３９がそれぞれ設けられている。可撓性部材３７は、帯状に形成され、端部材３６，３６’の留具３８を挿入する２つの留具挿入穴４０がそれぞれの両端に設けられている。可撓性部材３７は、上部が下部より短い寸法で構成されている。なお、前記のように可撓性部材３７の上部を下部より短い寸法で構成することによって、端部材３６，３６’が略ハの字状に連結されているが、可撓性部材３７の上部を下部の寸法と同じ長さにして、端部材３６，３６’を、縦方向に平行に配置して連結したり、横一直線に配置して連結したりするようにしてもよい。
【００２８】
挟持具１０は、２本の棒状部材１１，１２の間に２つ折りにした複室容器５０の第１の薬剤充填室５４側の端部が挿入され、２本の棒状部材１１，１２が第１の薬剤充填室５４の壁部とそれぞれ接触することで第１の薬剤充填室５４側の端部を挟持する。
【００２９】
保持具２０は、２本の棒状部材２１，２２の間に２つ折りにした複室容器５０の第１の薬剤充填室５５側の端部が挿入され、２本の棒状部材２１，２２が第１の薬剤充填室５５の壁部とそれぞれ接触することで第１の薬剤充填室５５側の端部を保持する。なお、挟持具１０と保持具２０のうちいずれか一方の２本の棒状部材の中央部に、口栓６０の外形より大きく湾曲させた口栓通過穴を形成し、口栓６０の通過が容易になるようにしてもよい。
【００３０】
挟持具１０の２本の棒状部材１１，１２は、第１実施形態と同様に、第１の薬剤充填室５４の厚みより小さい一定の間隔を形成している。また、保持具２０の２本の棒状部材２１，２２は、挟持具１０の２本の棒状部材１１，１２の間隔より広い間隔を空けて端部材３６’に固定され、第２の薬剤充填室５５の厚みより小さい一定の間隔を形成している。
【００３１】
第２実施形態に係る剥離器具１においても、第１実施形態と同様に、複室容器５０の薬剤充填室５４，５５がそれぞれ挟持具１０の２本の棒状部材１１，１２と保持具２０の２本の棒状部材２１，２２に保持されると、弱シール部５３を剥離するまで２つ折りにした状態を維持することができる。また、複室容器５０の両端を把持してそれぞれ外方向へ引張すると、複室容器５０の第１の薬剤充填室５４は、外方向へ移動することがなく、複室容器５０の第２の薬剤充填室５５が外方向へ移動する。保持具２０の２本の棒状部材２１，２２は、外方向へ移動する第２の薬剤充填室５５の両壁部を押圧して、容器本体５１内部に圧力を生じさせる。これにより、弱シール部５３が剥離して未混合薬剤が混合する。
【図面の簡単な説明】
【００３２】
【図１】本発明の第１実施形態に係る複室容器の弱シール部剥離器具の斜視図である。
【図２】図１の弱シール部剥離器具に挿入される複室容器である。
【図３】図１の弱シール部剥離器具の挟持具の２本の棒状部材と保持具の２本の棒状部材の間隔と複室容器の第１と第２の薬剤充填室の厚みとを対比した説明図である。
【図４】図１の弱シール部剥離器具に複室容器を挿入した状態を示す正面図である。
【図５】図１の弱シール部剥離器具に複室容器を挿入した状態を示す斜視図である。
【図６】弱シール部剥離器具に挿入した複室容器の容器本体の両端を引張して弱シール部を剥離させた状態を示す斜視図である。
【図７】図１の弱シール部剥離器具の連結具の他の実施例を示す正面図である。
【図８】本発明の第２実施形態に係る複室容器の弱シール部剥離器具の斜視図である。
【符号の説明】
【００３３】
１  複室容器の弱シール部剥離器具
１０  挟持具
１１，１２  棒状部材
１３，１４  ネジ止め部
１５，１６  ローラー部
２０  保持具
２１，２２  棒状部材
２３，２４  ネジ止め部
２５，２６  ローラー部
３０  連結具
３１  第１プレート材
３２  第２プレート材
３３，３３’  第１ネジ穴
３４，３４’  第２ネジ穴
３５，３５’  第３ネジ穴
３６，３６’  端部材
３７  可撓性部材
３８  留具
３９  留具固定穴
４０  留具挿入穴
５０  複室容器
５１  容器本体
５２  周辺強シール部
５３  弱シール部
５４  第１の薬剤充填室
５５  第２の薬剤充填室
６０  口栓
６１  薬剤排出口
６２  薬剤排出管
６３  フィルムシート
【図１】
2005187039.tif 000003
【図２】
2005187039.tif 000004
【図３】
2005187039.tif 000005
【図４】
2005187039.tif 000006
【図５】
2005187039.tif 000007
【図６】
2005187039.tif 000008
【図７】
2005187039.tif 000009
【図８】
2005187039.tif 000010